(57)【要約】【課題】作業用ドライバーは、握りに被せる太い握りを一緒にセットしてあるため中々便利な面もあるが、しかし、ドライバーの握りが太いだけでは不十分であり、握りをＴ字型にしてドライバーを回転させなければ、力が十分出しきれず満足のゆく作業は出来ない。握りをＴ型にする事が出来ないか、これは解決しなければならない課題である。握りをＴ型にする事が出来るＬ型ドライバー回しを提供する。【解決手段】金属製の素材からなる金属製のＬ型ドライバー回し本体に、Ｌ型ドライバー回しを正面から見て、Ｌ型スパナーのＬ部を入れる長円形の穴に、条件に合った大きさのＬ部を入れて、カバー部を、Ｌ型ドライバー回し本体側に押しながら右回転させると、Ｌ型ドライバーは、Ｔ型になり、力が均等に働き作業が楽に且つ安全に出来る事を特徴とする。【選択図】図３
2018062040.tif 000002
【特許請求の範囲】
【請求項１】
金属製の素材からなるＬ型ドライバー回し本体（１）を、正面から見て左側面を、左開放部（１−１）と、右側面を右開放部（１−２）と、右側の外側を本体側の雄ネジ（１−３）を設け、中間から右側の下部には、Ｌ型ドライバーのＬ部を入れる長円形の穴（１−４）を設け、前記長円形の穴（１−４）の左先端から、左開放部（１−１）までの内部は、三角柱のドライバーの先端が入る形状にして、カバー部（２）側にも、正面から見て左側面にはカバーの開放部（２−１）を、右側面には、右開放部（２−２）と、カバー部（２）の右内側にカバー部側の雌ネジ（２−３）をそれぞれ設け、金属製の素材からなる、Ｌ型プラスネジドライバー本体（３）と、Ｌ型マイナスネジドライバー本体（４）と、Ｌ型穴開けネジ本体（５）と、Ｌ型穴開けキリ本体（６）を、使用する時は、それぞれＬ部先端を、Ｌ型ドライバー回し本体（１）の長円形の穴（１−４）に入れて、カバー部（２）を、Ｌ型ドライバー回し本体（１）側に押しながら右回転させると、Ｌ型ドライバーは、Ｔ型になり、力が均等に働き、楽に且つ安全に作業が出来る事を特徴とするＬ型ドライバー回しとＬ型ドライバーのセット。
【請求項２】
Ｌ型ドライバー回し本体（１）と、カバー部（２）の素材は、金属製から合成樹脂に変えて使用し、Ｌ型プラスネジドライバー本体（３）と、Ｌ型マイナスネジドライバー本体（４）と、Ｌ型穴開けネジ本体（５）と、Ｌ型穴開けキリ本体（６）は、それぞれＬ部は内部を金属で外部は合成樹脂を使用し、直線部は金属製を使用し、先端部も金属を使用する請求項１記載のＬ型ドライバー回しとＬ型ドライバーのセット。
【請求項３】
Ｌ型ドライバー回し本体（１）と、カバー部（２）の素材は、金属製又は合成樹脂を使用し、金属製のＬ型の六角レンチを、Ｌ型ドライバー回し本体（１）の、長円形の穴（１−４）から入れて、カバー部（２）を右回転させて使用する請求項１記載のＬ型ドライバー回しとＬ型ドライバーのセット。
【発明の詳細な説明】
【技術分野】
【０００１】
本発明は、ドライバーだけでは力が弱く根元をＬ字型にしたドライバーをＴ字型にして、ねじ込みが容易に出来るようにしたＬ型ドライバー回しとＬ型ドライバーのセットに関する。
【背景技術】
【０００２】
従来、ドライバーは多く使用されている。
ドライバーの金属が直線で、根元が握りやすい太さのもの、ドライバーの金属が直線で根元がＴ字型のドライバーなど色々豊富に市場に出まわっている。
本発明はＬ字型トライバー回し本体と、カバー部に分かれている。本体にＬ字型トライバーをセットして、カバー部を右回転させて、Ｔ字型にして使用するドライバー回しは他に見当たらない。
特許文献１、特開２００１−１７９６４４号公報（調整用ドライバー装置）
特許文献２、実開昭６２−２０１６６８号公報（Ｌ字型ドライバー）
特許文献３、特許第５７１５２９４号公報（Ｌ型フック回し）に開示されている。
【先行技術文献】
【特許文献】
【０００３】
【特許文献１】特開２００１−１７９６４４号公報
【特許文献２】実開昭６２−２０１６６８号公報
【特許文献３】特許第５７１５２９４号公報
【発明の概要】
【発明が解決しようとする課題】
【０００４】
作業用ドライバーは、色々な大きさや形状のものが工具の製造業界で製造し研究している。小型のドライバーは、「マイナスドライバー」「プラスドライバー」を大・中・小さまざまな大きさにセットして箱に入れている。
それを購入して使用する時、ドライバーを取りだし適当な大きさであっても、ドライバーの握りが短く且つ細い為力が入らない。
そのため、握りに被せる太い握りを一緒にセットしてあるため中々便利である。
しかし、ドライバーの握りが太いだけでは不十分であり、握りをＴ字型にしてドライバーを回転させなければ、力が十分出しきれず満足のゆく作業は出来ない。
握りをＴ字型にする事が出来ないか、これは解決しなければならない課題である。
【課題を解決するための手段】
【０００５】
課題を解決する手段として本発明は、以下の構成とした。
金属製又は合成樹脂の素材からなるＬ型ドライバー回し本体（１）を、正面から見て左側面を、左開放部（１−１）と、右側面を右開放部（１−２）と、右側の外側を本体側の雄ネジ（１−３）と、中間から雄ネジまでを、Ｌ型ドライバーのＬ部を入れる長円形の穴（１−４）を設けた。
Ｌ型ドライバーは、Ｌ部の横の外観は三角柱（７）として、縦側は円柱（８）にしたため、長円形の穴（１−４）の左先端から、左開放部（１−１）までの内部は、ドライバーのＬ部の横の外観三角柱（７）が入るように三角の形状にした。
【０００６】
金属製又は合成樹脂を素材とした、カバー部（２）側にも、正面から見て左側面にはカバーの開放部（２−１）と、右側面には、右開放部（２−２）と、カバー部（２）の右内側にカバー部側の雌ネジ（２−３）をそれぞれ設けた。
Ｌ型ドライバー回し本体（１）の長円形の穴（１−４）に、Ｌ型ドイバーのＬ部を、入れて、カバー部（２）を、Ｌ型ドライバー回し本体（１）側に押しながら右回転させるとＬ型ドライバーはＴ型になるため均等に力がかかり便利に使用出来る。
【０００７】
ドライバーをプラスドライバーもマイナスドライバーも、ネジもキリも全て持ち手側をＬ型にして、持ち手のＬ型先端側面は三角形の形状である。
（図５「Ｂ」、図６「Ｂ」、図７「Ｂ」、図８「Ｂ」）
その三角形の形状の持ち手であるＬ型先端を、Ｌ型ドライバー回し本体（１）の長円形の穴（１−４）に入れるため、左方に向けて入れるようにした。
Ｌ型プラスドライバー本体（３）の持ち手を内部は金属、外部は合成樹脂のプラスドライバーＬ部（３−３）と、ドライバーの直線部分と、金属製のＬ型プラスドライバーの直線部（３−１）と、ドライバーの先端部分を金属製のＬ型プラスライバーネジ部（３−２）を設け、プラスドライバーＬ部の先端側面（３−４）は三角形にした。
【０００８】
Ｌ型マイナスドライバー本体（４）も持ち手を内部が金属で外部が合成樹脂を使用した、マイナスドライバーＬ部（４−３）と、直線部分を金属製のＬ型マイナスドライバーの直線部（４−１）と、ドライバーの先端と、金属製のＬ型マイナスドライバーネジ部（４−２）を設け、マイナスドライバーＬ部の先端側面は（４−４）は三角形にした。
【０００９】
先端がネジ穴をあけるものを、Ｌ型穴開けネジ本体（５）は、持ち手を内部は金属製で外部が合成樹脂の穴開けネジのＬ部（５−３）として、直線部分を、金属製のＬ型穴開けネジの直線部（５−１）と、先端部分を金属製のＬ型穴開けネジ先端部（５−２）と、穴開けネジのＬ部（５−３）を設け、穴開けネジのＬ部の先端側面（５−４）は三角形にした。
【００１０】
先端がキリ状になっているものを、Ｌ型穴開けキリ本体（６）として、持ち手を内部が金属製で外部が合成樹脂の穴開けキリのＬ部（６−３）と、直線部分を金属製のＬ型穴開けキリ直線部（６−１）と、先端部分を金属製のＬ型穴開けキリ先端部（６−２）を設け、穴開けキリのＬ部先端（６−４）は三角形にした。
【００１１】
Ｌ型プラスネジドライバー本体（３）と、Ｌ型マイナスネジドライバー本体（４）と、Ｌ型ネジ本体（５）と、Ｌ型キリ本体（６）は、何れも持ち手のＬ部を、Ｌ型ドライバー回し本体（１）の、長円形の穴（１−４）に、Ｌ型スパナーのＬ部を入れて、カバー部（２）を、右回りに回して、Ｌ型ドライバー回しと、前記各種のトライバーと一体化して、（図４「Ｃ」）Ｔ型にして力が均等に働くようにした。
また、Ｌ部の横の外観は三角柱（７）として、縦側は円柱（８）にした。
【００１２】
Ｌ型プラスネジドライバー本体（３）と、Ｌ型マイナスネジドライバー本体（４）と、Ｌ型ネジ本体（５）と、Ｌ型キリ本体（６）は、何れも持ち手のＬ部を、Ｌ型ドライバー回し本体（１）の、長円形の穴（１−４）に、Ｌ型スパナーのＬ部を入れて、カバー部（２）を、右回りに回して、Ｌ型ドライバー回しと、前記各種のトライバーと一体化して、（図４「Ｃ」）Ｔ型にして力が均等に働くようにした。
また、Ｌ部の横の外観は三角柱（７）として、縦側は円柱（８）にした。
【発明の効果】
【００１３】
本発明は下記の効果を有する。
１．Ｌ型ドライバー回しに、Ｌ型ドライバーをセッとする事により、Ｔの字にして使用するため力が均等に働き作業がし易い。
２．作業が安全で仕事の能率あがる。
【図面の簡単な説明】
【００１４】
【図１】「Ａ」  Ｌ型ドライバー回し底面図「Ｂ」  カバー部底面図
【図２】Ｌ型ドライバー回しと、カバー部でＬ字型ドライバーをセットした底面説明図
【図３】「Ａ」  Ｌ型ドライバー回し本体の正面図  「Ｂ」  カバー部の正面図        「Ｃ」  プラスドライバーの正面図
【図４】「Ａ」  Ｌ型ドライバー回しの左先端から見た形状説明図 「Ｂ」  カバー部左先端から見た形状説明図「Ｃ」  Ｌ型ドライバー回し本体にプラスドライバーを入れてカバー部で        固定した正面図
【図５】「Ａ」  Ｌ型プラスドライバー正面図「Ｂ」  Ｌ部先端の形状説明図
【図６】「Ａ」  Ｌ型マイスナスドライバー正面図「Ｂ」  Ｌ部先端の形状説明図
【図７】「Ａ」  Ｌ型穴開けネジ正面図「Ｂ」  Ｌ部先端の形状説明図
【図８】「Ａ」  Ｌ型穴開けキリ正面図「Ｂ」  Ｌ部先端の形状説明図
【図９】Ｌ型プラスドライバー本体の斜視図で、Ｌ部先端を説明した説明図
【図１０】金属製のＬ型六角レンチ本体の斜視図
【発明を実施するための形態】
【００１５】
以下，発明の実施形態について説明する。
課題を解決する手段として本発明は、以下の構成とした。
金属製又は合成樹脂の素材からなるＬ型ドライバー回し本体（１）を、正面から見て左側面を、左開放部（１−１）、右側面を右開放部（１−２）、右側の外側を本体側の雄ネジ（１−３）と、中間から雄ネジまでを、Ｌ字型ドライバーのＬ部を、入れる長円形の穴（１−４）を、それぞれ設けた。
本発明の目的は、Ｌ型ドライバー回しを使用して、Ｌ型ドライバーをセットしてＴ型にする事により、力が均等に働き使用しやすいようにする事である。
【００１６】
金属又は合成樹脂の素材を使用した、カバー部（２）側にも、正面から見て左側面にはカバーの開放部（２−１）を、右側面には、右開放部（２−２）、カバー部（２）の右内側にカバー部側の雌ネジ（２−３）をそれぞれ設けた。
使用方法として、Ｌ型ドライバー回し本体（１）を正面から見て、長円形の穴（１−４）に、Ｌ型トライバーを入れる。その後に、カバー部（２）を右側から入れて、Ｌ型ドライバー回し本体（１）側に押しながら右回転させると、Ｔ型になるため、均等に力がかかり便利に使用出来る。
【００１７】
ドライバーをプラスドライバーもマイナスドライバーも、ネジもキリも全て持ち手側をＬ型にした。
また、Ｌ部の横の外観は三角柱として、縦側は円柱状にした。
【００１８】
Ｌ型プラスドライバー本体（３）の持ち手は内部を金属で外部は合成樹脂を使用した、プラスドライバーＬ部（３−３）と、ドライバーの直線部分を金属製で、Ｌ型プラスドライバーの直線部（３−１）と、ドライバーの先端部分を金属製で、Ｌ型プラスドライバーネジ部（３−２）を設け、プラスドライバーＬ部の先端側面（３−４）は三角形にした。
Ｌ型プラスドライバー大・中・小、Ｌ型マイナスドライバー大・中・小、穴開けネジ・穴開けキリ８本の持ち手を全てＬ字型にした。
【００１９】
Ｌ型マイナスドライバー本体（４）も持ち手は内部を金属製で、外部は合成樹脂を使用したマイナスドライバーＬ部（４−３）と、直線部分を内部は金属製で外部は合成樹脂で、金属製のＬ型マイナスドライバーの直線部（４−１）と、ドライバーの先端を、金属製のＬ型マイナスドライバーネジ部（４−２）を設け、マイナスドライバーＬ部の先端側面（４−４）は三角形にした。
【００２０】
先端がネジ穴をあけるものを、Ｌ型穴開けネジ本体（５）として、持ち手は、内部を金属製、外部を合成樹脂の穴開けネジのＬ部（５−３）と、直線部分を金属製で、Ｌ型穴開けネジの直線部（５−１）と、先端部分を金属製のＬ型穴開けネジ先端部（５−２）を設け、穴開けネジのＬ部の先端側面（５−４）は三角形にした。
【００２１】
先端がキリ状になっているものを、Ｌ型穴開けキリ本体（６）として、持ち手を内部が金属で外部が合成樹脂の素材で穴開けキリのＬ部（６−３）と、直線部分を金属でＬ型穴開けキリ直線部（６−１）と、先端部分を金属のＬ型穴開けキリ先端部（６−２）を設け、穴開けキリのＬ部先端側面（６−４）は三角形にした。
【００２２】
Ｌ型ドライバー回し本体（１）を、使用する時は、正面から見て、Ｌ型ドライバーのＬ字部を入れる長円形の穴（１−４）に、条件に合った大きさのＬ部プラスネジドライバー（３）又は、Ｌ型マイナスネジドライバー（４）を入れて、カバー部（２）を、Ｌ型ドライバー回し本体（１）側に押しながら右回転させると、Ｌ型ドライバーは、Ｔ型になり、力が均等に働き、作業が楽に且つ正確に作業が出来る。
金属製のＬ型六角レンチ本体（９）の、Ｌ型六角レンチＬ部（９−２）を、Ｌ型ドライバー回し本体（１）の、長円形の穴（１−４）に入れて、カバー部（２）を、右回りに回転させて使用する事も出来る構造にした。
【００２３】
Ｌ型の構造、形状について説明する。
Ｌ型プラスドライバー本体（３）、Ｌ型マイナスドライバー本体（４）、Ｌ型穴開けネジ本体（５）、Ｌ型穴開けキリ本体（６）に置いて、Ｌ部の先端から、横状になっている部分の外観は三角柱（７）にして、Ｌ部の直線部である縦状の部分の外観は円柱状（８）にした。
【符号の説明】
【００２４】
（１）        Ｌ型ドライバー回し本体      
（１−１）    本体の左開放部
（１−２）    本体の右開放部
（１−３）    本体側の雄ネジ
（１−４）    Ｌ型スパナーのＬ字部を入れる長円形の穴
（２）        カバー部
（２−１）    カバー部の左開放部
（２−２）    カバー部の右開放部
（２−３）    カバー部内部の雌ネジ
（３）        Ｌ型プラスドライバー本体
（３−１）    Ｌ型プラスドライバーの直線部
（３−２）    Ｌ型プラスドライバーネジ部
（３−３）    プラスドライバーＬ部
（３−４）    プラスドライバーＬ部の先端
（４）        Ｌ型マイナスドライバー本体
（４−１）    Ｌ型マイナスドライバーの直線部
（４−２）    Ｌ型マイナスドライバーネジ部
（４−３）    マイナスドライバーＬ部
（４−４）    マイナスドライバーＬ部の先端
（５）        Ｌ型穴開けネジ本体    
（５−１）    Ｌ型穴開けネジの直線部
（５−２）    Ｌ型穴開けネジ先端部
（５−３）    穴開けネジのＬ部
（５−４）    穴開けネジのＬ部の先端
（６）        Ｌ型穴開けキリ本体
（６−１）    Ｌ型穴開けキリ直線部
（６−２）    Ｌ型穴開けキリ先端部
（６−３）    穴開けキリのＬ部
（６−４）    穴開けキリのＬ部先端
（７）        Ｌ型の横三角柱
（８）        Ｌ型の縦円柱
（９）        Ｌ型六角レンチ本体
（９−１）    Ｌ型六角レンチ直線部
（９−２）    Ｌ型六角レンチＬ部
【図１】
2018062040.tif 000003
【図２】
2018062040.tif 000004
【図３】
2018062040.tif 000005
【図４】
2018062040.tif 000006
【図５】
2018062040.tif 000007
【図６】
2018062040.tif 000008
【図７】
2018062040.tif 000009
【図８】
2018062040.tif 000010
【図９】
2018062040.tif 000011
【図１０】
2018062040.tif 000012
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
金属製の素材からなるＬ型ドライバー回し本体（１）を、正面から見て左側面を、左開放部（１−１）と、右側面を右開放部（１−２）と、右側の外側を本体側の雄ネジ（１−３）を
設け、中間から右側の下部には、Ｌ型ドライバーのＬ部を入れる長円形の穴（１−４）を設け、前記長円形の穴（１−４）の左先端から、左開放部（１−１）までの内部は、三角柱のＬ部が入る形状にして、カバー部（２）側にも、正面から見て左側面にはカバーの開放部（２−１）を、右側面には、右開放部（２−２）と、カバー部（２）の右内側にカバー部側の雌ネジ（２−３）をそれぞれ設け、金属製の素材からなる、Ｌ型プラスネジドライバー本体（３）と、Ｌ型マイナスネジドライバー本体（４）と、Ｌ型穴開けネジ本体（５）と、Ｌ型穴開けキリ本体（６）を、使用する時は、それぞれＬ部先端を、Ｌ型ドライバー回し本体（１）の長円形の穴（１−４）に入れて、カバー部（２）を、Ｌ型ドライバー回し本体（１）側に押しながら右回転させると、Ｌ型ドライバーは、Ｔ型になり、力が均等に働き、楽に且つ安全に作業が出来る事を特徴とするＬ型ドライバー回しとＬ型ドライバーのセット。
【請求項２】
Ｌ型ドライバー回し本体（１）と、カバー部（２）の素材は、金属製から合成樹脂に変えて使用し、Ｌ型プラスネジドライバー本体（３）と、Ｌ型マイナスネジドライバー本体（４）と、Ｌ型穴開けネジ本体（５）と、Ｌ型穴開けキリ本体（６）は、それぞれＬ部は内部を金属で外部は合成樹脂を使用し、直線部は金属製を使用し、先端部も金属を使用する請求項１記載のＬ型ドライバー回しとＬ型ドライバーのセット。
【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
金属製の素材からなるＬ型ドライバー回し本体（１）を、正面から見て左側面を、左開放部（１−１）と、右側面を右開放部（１−２）と、右側の外側を本体側の雄ネジ（１−３）を
設け、中間から右側の下部には、Ｌ型ドライバーのＬ部を入れる長円形の穴（１−４）を設け、前記長円形の穴（１−４）の左先端から、左開放部（１−１）までの内部は、三角柱のＬ部が入る形状にして、ドライバー本体のＬ部の縦側が円柱状であり、カバー部（２）側にも、正面から見て左側面にはカバーの開放部（２−１）を、右側面には、右開放部（２−２）と、カバー部（２）の右内側にカバー部側の雌ネジ（２−３）をそれぞれ設け、金属製の素材からなる、Ｌ型プラスネジドライバー本体（３）と、Ｌ型マイナスネジドライバー本体（４）と、Ｌ型穴開けネジ本体（５）と、Ｌ型穴開けキリ本体（６）を、使用する時は、それぞれＬ部先端を、Ｌ型ドライバー回し本体（１）の長円形の穴（１−４）に入れて、カバー部（２）を、Ｌ型ドライバー回し本体（１）側に押しながら右回転させると、Ｌ型ドライバーは、Ｔ型になり、力が均等に働き、楽に且つ安全に作業が出来る事を特徴とするＬ型ドライバー回しとＬ型ドライバーのセット。
【請求項２】
Ｌ型ドライバー回し本体（１）と、カバー部（２）の素材は、金属製から合成樹脂に変えて使用し、Ｌ型プラスネジドライバー本体（３）と、Ｌ型マイナスネジドライバー本体（４）と、Ｌ型穴開けネジ本体（５）と、Ｌ型穴開けキリ本体（６）は、それぞれＬ部は内部を金属で外部は合成樹脂を使用し、直線部は金属製を使用し、先端部も金属を使用する請求項１記載のＬ型ドライバー回しとＬ型ドライバーのセット。
【手続補正２】
【補正対象書類名】明細書
【補正対象項目名】００１２
【補正方法】変更
【補正の内容】
【００１２】
本発明は下記の効果を有する。
１．Ｌ型ドライバー回しに、Ｌ型ドライバーをセッとする事により、Ｔの字にして
使用するため力が均等に働き作業がし易い。
２．作業が安全で仕事の能率あがる。
【手続補正３】
【補正対象書類名】明細書
【補正対象項目名】００１３
【補正方法】変更
【補正の内容】
【００１３】
【図１】「Ａ」  Ｌ型ドライバー回し底面図「Ｂ」  カバー部底面図
【図２】Ｌ型ドライバー回しと、カバー部でＬ字型ドライバーをセットした底面説明図
【図３】「Ａ」  Ｌ型ドライバー回し本体の正面図  「Ｂ」  カバー部の正面図        「Ｃ」  プラスドライバーの正面図
【図４】「Ａ」  Ｌ型ドライバー回しの左先端から見た形状説明図      「Ｂ」  カバー部左先端から見た形状説明図「Ｃ」  Ｌ型ドライバー回し本体にプラスドライバーを入れてカバー部で        固定した正面図
【図５】「Ａ」  Ｌ型プラスドライバー正面図「Ｂ」  Ｌ部先端の形状説明図
【図６】「Ａ」  Ｌ型マイスナスドライバー正面図「Ｂ」  Ｌ部先端の形状説明図
【図７】「Ａ」  Ｌ型穴開けネジ正面図「Ｂ」  Ｌ部先端の形状説明図
【図８】「Ａ」  Ｌ型穴開けキリ正面図「Ｂ」  Ｌ部先端の形状説明図
【図９】Ｌ型プラスドライバー本体の斜視図で、Ｌ部先端を説明した説明図
【手続補正４】
【補正対象書類名】明細書
【補正対象項目名】００１４
【補正方法】変更
【補正の内容】
【００１４】
以下，発明の実施形態について説明する。
金属製又は合成樹脂の素材からなるＬ型ドライバー回し本体（１）を、正面から見て左側面を、左開放部（１−１）、右側面を右開放部（１−２）、右側の外側を本体側の雄
ネジ（１−３）と、中間から雄ネジまでを、Ｌ字型ドライバーのＬ部を、入れる長円形の穴（１−４）を、それぞれ設けた。
本発明の目的は、Ｌ型ドライバー回しを使用して、Ｌ型ドライバーをセットしてＴ型
にする事により、力が均等に働き使用しやすいようにする事である。
【手続補正５】
【補正対象書類名】明細書
【補正対象項目名】００１５
【補正方法】変更
【補正の内容】
【００１５】
金属又は合成樹脂の素材を使用した、カバー部（２）側にも、正面から見て左側面にはカバーの開放部（２−１）を、右側面には、右開放部（２−２）、カバー部（２）の右内側にカバー部側の雌ネジ（２−３）をそれぞれ設けた。
使用方法として、Ｌ型ドライバー回し本体（１）を正面から見て、長円形の穴（１−４）に、Ｌ型トライバーを入れる。その後に、カバー部（２）を右側から入れて、Ｌ型ドライバー回し本体（１）側に押しながら右回転させると、Ｔ型になるため、均等に力がかかり便利に使用出来る。
【手続補正６】
【補正対象書類名】明細書
【補正対象項目名】００１６
【補正方法】変更
【補正の内容】
【００１６】
ドライバーをプラスドライバーもマイナスドライバーも、ネジもキリも全て持ち手
側をＬ型にした。
また、Ｌ部の横の外観は三角柱として、縦側は円柱状にした。
【手続補正７】
【補正対象書類名】明細書
【補正対象項目名】００１７
【補正方法】変更
【補正の内容】
【００１７】
Ｌ型プラスドライバー本体（３）の持ち手は内部を金属で外部は合成樹脂を使用した、
プラスドライバーＬ部（３−３）と、ドライバーの直線部分を金属製で、Ｌ型プラスドラ
イバーの直線部（３−１）と、ドライバーの先端部分を金属製で、Ｌ型プラスドライバー
ネジ部（３−２）を設け、プラスドライバーＬ部の先端側面（３−４）は三角形にした。
Ｌ型プラスドライバー大・中・小、Ｌ型マイナスドライバー大・中・小、穴開けネジ・穴
開けキリ８本の持ち手を全てＬ字型にした。
【手続補正８】
【補正対象書類名】明細書
【補正対象項目名】００１８
【補正方法】変更
【補正の内容】
【００１８】
Ｌ型マイナスドライバー本体（４）も持ち手は内部を金属製で、外部は合成樹脂を使用し
たマイナスドライバーＬ部（４−３）と、直線部分を内部は金属製で外部は合成樹脂で、
金属製のＬ型マイナスドライバーの直線部（４−１）と、ドライバーの先端を、金属製
のＬ型マイナスドライバーネジ部（４−２）を設け、マイナスドライバーＬ部の先端側面
（４−４）は三角形にした。
【手続補正９】
【補正対象書類名】明細書
【補正対象項目名】００１９
【補正方法】変更
【補正の内容】
【００１９】
先端がネジ穴をあけるものを、Ｌ型穴開けネジ本体（５）として、持ち手は、内部を金
属製、外部を合成樹脂の穴開けネジのＬ部（５−３）と、直線部分を金属製で、Ｌ型
穴開けネジの直線部（５−１）と、先端部分を金属製のＬ型穴開けネジ先端部（５−２）
を設け、穴開けネジのＬ部の先端側面（５−４）は三角形にした。
【手続補正１０】
【補正対象書類名】明細書
【補正対象項目名】００２０
【補正方法】変更
【補正の内容】
【００２０】
先端がキリ状になっているものを、Ｌ型穴開けキリ本体（６）として、持ち手を内部が
金属で外部が合成樹脂の素材で穴開けキリのＬ部（６−３）と、直線部分を金属でＬ型
穴開けキリ直線部（６−１）と、先端部分を金属のＬ型穴開けキリ先端部（６−２）を
設け、穴開けキリのＬ部先端側面（６−４）は三角形にした。
【手続補正１１】
【補正対象書類名】明細書
【補正対象項目名】００２１
【補正方法】変更
【補正の内容】
【００２１】
Ｌ型ドライバー回し本体（１）を、使用する時は、正面から見て、Ｌ型ドライバーの
Ｌ字部を入れる長円形の穴（１−４）に、条件に合った大きさのＬ部プラスネジドライ
バー（３）又は、Ｌ型マイナスネジドライバー（４）を入れて、カバー部（２）を、Ｌ
型ドライバー回し本体（１）側に押しながら右回転させると、Ｌ型ドライバーは、Ｔ型
になり、力が均等に働き、作業が楽に且つ正確に作業が出来る。
金属製のＬ型六角レンチ本体（９）の、Ｌ型六角レンチＬ部（９−２）を、Ｌ型ドラ
イバー回し本体（１）の、長円形の穴（１−４）に入れて、カバー部（２）を、右回り
に回転させて使用する事も出来る構造にした。
【手続補正１２】
【補正対象書類名】明細書
【補正対象項目名】００２２
【補正方法】変更
【補正の内容】
【００２２】
Ｌ型の構造、形状について説明する。
Ｌ型プラスドライバー本体（３）、Ｌ型マイナスドライバー本体（４）、Ｌ型穴開けネジ
本体（５）、Ｌ型穴開けキリ本体（６）に置いて、Ｌ部の先端から、横状になっている
部分の外観は三角柱（７）にして、Ｌ部の直線部である縦状の部分の外観は円柱状（８）
にした。
【手続補正１３】
【補正対象書類名】明細書
【補正対象項目名】００２３
【補正方法】変更
【補正の内容】
【００２３】
（１）        Ｌ型ドライバー回し本体      
（１−１）    本体の左開放部
（１−２）    本体の右開放部
（１−３）    本体側の雄ネジ
（１−４）    Ｌ型スパナーのＬ字部を入れる長円形の穴
（２）        カバー部
（２−１）    カバー部の左開放部
（２−２）    カバー部の右開放部
（２−３）    カバー部内部の雌ネジ
（３）        Ｌ型プラスドライバー本体
（３−１）    Ｌ型プラスドライバーの直線部
（３−２）    Ｌ型プラスドライバーネジ部
（３−３）    プラスドライバーＬ部
（３−４）    プラスドライバーＬ部の先端
（４）        Ｌ型マイナスドライバー本体
（４−１）    Ｌ型マイナスドライバーの直線部
（４−２）    Ｌ型マイナスドライバーネジ部
（４−３）    マイナスドライバーＬ部
（４−４）    マイナスドライバーＬ部の先端
（５）        Ｌ型穴開けネジ本体    
（５−１）    Ｌ型穴開けネジの直線部
（５−２）    Ｌ型穴開けネジ先端部
（５−３）    穴開けネジのＬ部
（５−４）    穴開けネジのＬ部の先端
（６）        Ｌ型穴開けキリ本体
（６−１）    Ｌ型穴開けキリ直線部
（６−２）    Ｌ型穴開けキリ先端部
（６−３）    穴開けキリのＬ部
（６−４）    穴開けキリのＬ部先端
（７）        Ｌ型の横三角柱
（８）        Ｌ型の縦円柱
【手続補正１４】
【補正対象書類名】図面
【補正対象項目名】図１０
【補正方法】削除
【補正の内容】